【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
複数のユーザの各々が入力したメッセージを取得するメッセージ取得手段と、
前記メッセージの宛先を示す宛先情報を取得する宛先取得手段と、
各ユーザの端末に、複数の前記メッセージの各々が時系列に並んだチャット画像を表示させるためのデータを送信する送信手段と、
を含み、
前記送信手段は、
前記宛先情報に基づいて、送信先宛てに入力された第１メッセージと、前記送信先以外を宛先にして前記送信先のユーザとは異なるユーザが入力した第２メッセージと、を前記送信先に送信し、
前記チャット画像の中で前記第１メッセージと前記第２メッセージとを区別して表示させるためのデータを前記送信先に送信する、
ことを特徴とするメッセージ制御サーバ。
【請求項２】
前記チャット画像には、前記複数のメッセージの各々と、当該メッセージを入力したユーザを示すユーザ画像と、の組み合わせが時系列に並んでおり、
前記送信手段は、複数の前記組み合わせが時系列に並んだ前記チャット画像の中で、前記第１メッセージと前記第２メッセージとを区別して表示させるためのデータを送信する、
ことを特徴とする請求項１に記載のメッセージ制御サーバ。
【請求項３】
前記チャット画像は、一の端部に対応する第１領域において、前記送信先のユーザとは異なるユーザを示す第１ユーザ画像を表示可能であり、対向する端部に対応する第２領域において、前記送信先のユーザを示す第２ユーザ画像を表示可能であり、前記第１領域と前記第２領域との間の第３領域において、前記複数のメッセージの各々を表示可能であり、
前記送信手段は、前記チャット画像のうちの前記第３領域の中で、前記第１メッセージと前記第２メッセージとを区別して表示させるためのデータを送信する、
ことを特徴とする請求項２に記載のメッセージ制御サーバ。
【請求項４】
前記第１メッセージは、前記第１領域から前記第２領域に対する方向を指し示す方向画像と関連付けて表示され、
前記第２メッセージは、前記方向画像と関連付けられずに表示される、
ことを特徴とする請求項３に記載のメッセージ制御サーバ。
【請求項５】
前記送信手段は、前記送信先のユーザが前記送信先以外宛てに入力したメッセージを更に区別した前記チャット画像を表示させるためのデータであり、当該メッセージを含むデータを前記送信先に送信する、
ことを特徴とする請求項１〜４の何れかに記載のメッセージ制御サーバ。
【請求項６】
前記送信手段は、前記第２メッセージと、当該第２メッセージの宛先を識別する情報と、を関連付けた前記チャット画像を表示させるためのデータであり、当該第２メッセージを含むデータを前記送信先に送信する、
ことを特徴とする請求項１〜５の何れかに記載のメッセージ制御サーバ。
【請求項７】
前記メッセージ制御サーバでは、メッセージの送信元を宛先とした返信が可能であり、
前記メッセージ取得手段は、各ユーザが入力した返信のメッセージを取得し、
前記メッセージ制御サーバは、
返信の元のメッセージを識別する返信元情報を取得する手段を更に含み、
前記送信手段は、前記返信元情報に基づいて、前記返信のメッセージと、当該返信の元のメッセージと、を関連付けた前記チャット画像を表示させるためのデータであり、これらのメッセージを含むデータを前記送信先に送信する、
ことを特徴とする請求項１〜６の何れかに記載のメッセージ制御サーバ。
【請求項８】
前記送信手段は、各ユーザの操作に基づきメッセージが指定された場合に、当該指定されたメッセージに対する返信のメッセージの入力を受け付けるためのデータを送信する、
ことを特徴とする請求項７に記載のメッセージ制御サーバ。
【請求項９】
前記送信手段は、
各ユーザの操作に基づき返信のメッセージが指定された場合に、当該指定された返信のメッセージと、当該返信の元のメッセージと、を関連付けた前記チャット画像を表示させるためのデータであり、これらのメッセージを含むデータを前記送信先に送信する手段と、
各ユーザの操作に基づき元のメッセージが指定された場合に、当該指定された元のメッセージと、当該指定された元のメッセージに対する返信のメッセージと、を関連付けた前記チャット画像を表示させるためのデータであり、これらのメッセージを含むデータを前記送信先に送信する手段と、
の少なくとも一方を含むことを特徴とする請求項７又は８に記載のメッセージ制御サーバ。
【請求項１０】
前記メッセージ制御サーバでは、メッセージの送信元を宛先とした返信が可能であり、
前記メッセージ取得手段は、各ユーザが入力した返信のメッセージを取得し、
前記メッセージ制御サーバは、
前記返信のメッセージを、当該返信の元のメッセージと同じメッセージグループに属させる手段を更に含み、
前記送信手段は、同じメッセージグループに属するメッセージを関連付けた前記チャット画像を表示させるためのデータであり、当該メッセージを含むデータを前記送信先に送信する、
ことを特徴とする請求項１〜９の何れかに記載のメッセージ制御サーバ。
【請求項１１】
前記送信手段は、
各ユーザの操作に基づきメッセージが指定された場合に、当該指定されたメッセージが属するメッセージグループのメッセージと、前記メッセージとは異なるメッセージを区別した前記チャット画像を表示させるためのデータを前記送信先に送信する、
ことを特徴とする請求項１０に記載のメッセージ制御サーバ。
【請求項１２】
メッセージの宛先は、複数を指定可能であり、
前記送信手段は、前記指定された複数の宛先の中に前記送信先が含まれるメッセージと、前記指定された複数の宛先の中に前記送信先が含まれないメッセージと、を区別した前記チャット画像を表示させるためのデータであり、これらのメッセージを含むデータを前記送信先に送信する、
ことを特徴とする請求項１〜１１の何れかに記載のメッセージ制御サーバ。
【請求項１３】
前記送信手段は、前記送信先のみが宛先のメッセージと、前記指定された複数の宛先の中に前記送信先及び前記送信先以外が含まれるメッセージと、を区別した前記チャット画像を表示させるためのデータであり、これらのメッセージを含むデータを前記送信先に送信する、
ことを特徴とする請求項１２に記載のメッセージ制御サーバ。
【請求項１４】
メッセージの宛先は、送信可能な宛先の全体を指定すること又は宛先を指定しないことが可能であり、
前記送信手段は、送信可能な宛先の全体宛てのメッセージ又は宛先が指定されていないメッセージを更に区別した前記チャット画像を表示させるためのデータであり、これらのメッセージを含むデータを前記送信先に送信する、
ことを特徴とする請求項１〜１３の何れかに記載のメッセージ制御サーバ。
【請求項１５】
前記送信手段は、各メッセージの送信元を識別する情報を表示させるためのデータを前記送信先に送信し、各ユーザの操作に基づき前記情報が指定された場合に、当該指定された情報が示す宛先のメッセージの入力を受け付けるためのデータを送信する、
ことを特徴とする請求項１〜１４の何れかに記載のメッセージ制御サーバ。
【請求項１６】
前記送信手段は、前記送信先と、前記送信先のユーザの操作に基づき指定された前記送信先以外と、の間でのメッセージを前記メッセージ以外のメッセージと区別された前記チャット画像を表示させるためのデータであり、当該メッセージを含むデータを送信する、
ことを特徴とする請求項１〜１５の何れかに記載のメッセージ制御サーバ。
【請求項１７】
前記送信手段は、前記送信先宛てに前記送信先のユーザとは異なるユーザが入力した前記第１メッセージと、前記送信先以外に関連付けられた前記チャット画像上の位置から、前記送信先に関連付けられた前記チャット画像上の位置に対する方向と、を関連付けた前記チャット画像を表示させるためのデータであり、当該メッセージを含むデータを前記送信先に送信する、
ことを特徴とする請求項１〜１６の何れかに記載のメッセージ制御サーバ。
【請求項１８】
前記送信手段は、前記送信先のユーザが前記送信先以外宛てに入力した前記第２メッセージと、前記送信先に関連付けられた前記チャット画像上の位置から、前記送信先以外に関連付けられた前記チャット画像上の位置に対する方向と、を関連付けた前記チャット画像を表示させるためのデータであり、当該メッセージを含むデータを前記送信先に送信する、
ことを特徴とする請求項１〜１７の何れかに記載のメッセージ制御サーバ。
【請求項１９】
複数のユーザの各々のメッセージが時系列に並んだチャット画像を表示させるメッセージ制御端末であって、
各ユーザが入力したメッセージを取得するメッセージ取得手段と、
前記メッセージの宛先を示す宛先情報を取得する宛先取得手段と、
前記宛先情報に基づいて、前記チャット画像の中で、ユーザ宛てに入力されたメッセージと、前記ユーザ以外を宛先にして前記ユーザとは異なるユーザが入力したメッセージと、を区別して表示させる表示制御手段と、
を含むことを特徴とするメッセージ制御端末。
【請求項２０】
請求項１〜１８の何れかに記載のメッセージ制御サーバ又は請求項１９に記載のメッセージ制御端末としてコンピュータを機能させるためのプログラム。